(57)【要約】【課題】待機時における電源モードの制御をその利用の態様に応じて最適化して低消費電力化することが可能とし、かつこれを一括して管理することを容易とする。【解決手段】このテレビジョン受像機１０の待機時の電源モードが通常スタンバイモードとされるのは、（１）設定チェックイン時刻後、（２）かつ利用客のチェックイン後、（３）かつ一度電源がオンされたか、オンされなくともチェックイン時刻から所定時刻経過しておらず、、（４）かつチェックイン時刻から所定時間経過前、（５）かつ利用客のチェックアウト前、（６）かつ設定チェックアウト時刻以前の場合に限られる。上記の（１）〜（６）の条件のいずれかが満たされない場合には、待機時は省電力モードとなる。この場合は、ホテルの規則上決められた時間外か、利用客がいない状態か、利用客がいてもこのテレビジョン受像機１０が使用されていない状態に対応する。【選択図】図３
2008236136.tif 000002
【特許請求の範囲】
【請求項１】
待機時の電力モードとして、立ち上がり時間の長い構成要素に電力を供給する通常スタンバイモードと、前記立ち上がり時間の長い構成要素に電力を供給しない省電力モードとが設定されるテレビジョン受像機を用いたテレビジョンシステムであって、
サーバと、該サーバとネットワークを介して接続される前記テレビジョン受像機とからなり、
前記テレビジョン受像機は、
前記サーバに第１の設定時刻のデータが入力されているか否か、及び第２の設定時刻のデータが入力されているか否かを判定し、前記サーバに前記第１の設定時刻のデータが入力されていない場合あるいは前記第２の設定時刻のデータが入力されている場合には前記電力モードを省電力モードに設定する制御部を具備することを特徴とするテレビジョンシステム。
【請求項２】
待機時の電力モードとして、立ち上がり時間の長い構成要素に電力を供給する通常スタンバイモードと、前記立ち上がり時間の長い構成要素に電力を供給しない省電力モードとが設定されるテレビジョン受像機を用いたテレビジョンシステムであって、
サーバと、該サーバとネットワークを介して接続される前記テレビジョン受像機とからなり、
前記テレビジョン受像機は、前記サーバから第１の設定時刻のデータ及び第２の設定時刻のデータを入手し、現在の時刻が前記第１の設定時刻以前あるいは前記第２の設定時刻以降であった場合には前記電力モードを省電力モードに設定する制御部を具備することを特徴とするテレビジョンシステム。
【請求項３】
前記テレビジョンシステムはホテルに設置され、
前記テレビジョン受像機は前記ホテルにおける客室に設置されることを特徴とする請求項１または２に記載のテレビジョンシステム。
【請求項４】
前記第１の設定時刻は前記ホテルにおける利用客の実際のチェックイン時刻であり、
前記第２の設定時刻は前記ホテルにおける利用客の実際のチェックアウト時刻であることを特徴とする請求項３に記載のテレビジョンシステム。
【請求項５】
前記第１の設定時刻は前記ホテルにおける規則上のチェックイン時刻であり、
前記第２の設定時刻は前記ホテルにおける規則上のチェックアウト時刻であることを特徴とする請求項３に記載のテレビジョンシステム。
【請求項６】
前記制御部は、前記第１の設定時刻経過後、前記テレビジョン受像機が使用されずに一定時間経過した場合に前記電力モードを省電力モードに設定することを特徴とする請求項１乃至５のいずれか１項に記載のテレビジョンシステム。
【請求項７】
前記制御部は、ターミナルボックスを介して前記サーバと接続されることを特徴とする請求項１乃至６のいずれか１項に記載のテレビジョンシステム。
【請求項８】
待機時の電力モードとして、立ち上がり時間の長い構成要素に電力を供給する通常スタンバイモードと、前記立ち上がり時間の長い構成要素に電力を供給しない省電力モードとが設定されるテレビジョン受像機であって、
ネットワークを介して、外部のサーバに第１の設定時刻のデータが入力されているか否か、及び第２の設定時刻のデータが入力されているか否かを判定し、前記サーバに前記第１の設定時刻のデータが入力されていない場合あるいは前記第２の設定時刻のデータが入力されている場合には前記電力モードを省電力モードに設定する制御部を具備することを特徴とするテレビジョン受像機。
【請求項９】
待機時の電力モードとして、立ち上がり時間の長い構成要素に電力を供給する通常スタンバイモードと、前記立ち上がり時間の長い構成要素に電力を供給しない省電力モードとが設定されるテレビジョン受像機であって、
ネットワークを介して、外部のサーバから第１の設定時刻のデータ及び第２の設定時刻のデータを入手し、現在の時刻が前記第１の設定時刻以前あるいは前記第２の設定時刻以降であった場合には前記電力モードを省電力モードに設定する制御部を具備することを特徴とするテレビジョン受像機。
【請求項１０】
前記テレビジョン受像機はホテルにおける客室に設置されることを特徴とする請求項８または９に記載のテレビジョン受像機。
【請求項１１】
前記第１の設定時刻は前記ホテルにおける利用客の実際のチェックイン時刻であり、
前記第２の設定時刻は前記ホテルにおける利用客の実際のチェックアウト時刻であることを特徴とする請求項１０に記載のテレビジョン受像機。
【請求項１２】
前記第１の設定時刻は前記ホテルにおける規則上のチェックイン時刻であり、
前記第２の設定時刻は前記ホテルにおける規則上のチェックアウト時刻であることを特徴とする請求項１０に記載のテレビジョン受像機。
【請求項１３】
待機時の電力モードとして、立ち上がり時間の長い構成要素に電力を供給する通常スタンバイモードと、前記立ち上がり時間の長い構成要素に電力を供給しない省電力モードとが設定されるテレビジョン受像機における前記電力モードの設定方法であって、
ネットワークを介して、外部のサーバに第１の設定時刻のデータが入力されているか否か、及び第２の設定時刻のデータが入力されているか否かを判定し、
前記サーバに前記第１の設定時刻のデータが入力されていない場合あるいは前記第２の設定時刻のデータが入力されている場合には前記電力モードを省電力モードに設定することを特徴とする電力モードの設定方法。
【請求項１４】
待機時の電力モードとして、立ち上がり時間の長い構成要素に電力を供給する通常スタンバイモードと、前記立ち上がり時間の長い構成要素に電力を供給しない省電力モードとが設定されるテレビジョン受像機における前記電力モードの設定方法であって、
ネットワークを介して、外部のサーバから第１の設定時刻のデータ及び第２の設定時刻のデータを入手し、
現在の時刻が前記第１の設定時刻以前あるいは前記第２の設定時刻以降であった場合には前記電力モードを省電力モードに設定することを特徴とする電力モードの設定方法。
【発明の詳細な説明】
【技術分野】
【０００１】
本発明は、ホテルや病院等において、サーバによって管理されるテレビジョンシステム、及びこれに用いられるテレビジョン受像機、及びこのテレビジョン受像機における電力モード設定方法に関する。
【背景技術】
【０００２】
テレビジョン受像機は、チューナ、表示部（液晶ディスプレイ及びバックライト等）、スピーカ等、各種の要素で構成され、利用者がテレビ番組を視聴している間はこれらの全構成要素に電力が投入される。一方、電力が投入されてから安定した定常動作が行われるまでに要する時間（立ち上がり時間）は各構成要素によって様々である。例えば、液晶ディスプレイにおけるバックライトのインバータ回路や、スピーカ回路の立ち上がり時間は長く、電源投入後にはこれらの立ち上がり時間が経過しないと利用者はテレビ番組を視聴することができない。すなわち、電力を投入してからテレビ番組を視聴できるまでの待ち時間はこれらの立ち上がり時間で律速される。
【０００３】
そこで、テレビジョン受像機における電源モードは３種類とされる。ここで、利用者がテレビ番組を視聴する際にはその電力モードを電源オンモード（全ての構成要素に電力が供給されるモード）とし、視聴しない時（待機時）の電力モードを２種類の設定とすることが行われている。待機時の電力モードの一つは省電力モードであり、一般的にはリモコン受信動作に関する要素以外への電力供給がオフとなるモードである。この場合にはテレビジョン受像機の消費電力は０．０５W程度と極めて少なくなるが、省電力モードから電源オンモードとした場合、実際にテレビ番組を視聴できるまでの待ち時間は長くなる。他方のモードは通常スタンバイモードであり、比較的消費電力の大きなバックライト等の電源はオフとなるが、立ち上がり時間の長いインバータ回路やスピーカ回路等の電源はオンとするモードである。通常スタンバイモードから電源オンモードとした場合は、予めこれらの回路には通電がなされているため、短時間でテレビ番組を視聴できる。利用者が在宅の場合にはテレビ番組を視聴しない場合でも、通常スタンバイモードとすることにより、所望の時に電源オンモードとした場合にはほとんど待ち時間無しにテレビ番組を視聴することができた。ただし、通常スタンバイモードの場合は省電力モードと比べて消費電力は大きいため、これらは状況により適宜選択される。
【０００４】
また、一般家庭においては、利用者の生活サイクルはほぼ一定である。例えば、昼間は利用者が外出しており、朝と夜間のみ在宅となっている場合が多い。また、利用者がテレビ番組を視聴する時刻は１週間のうちでほぼ一定しており、視聴するテレビ番組は決定している場合が多い。このため、利用者がテレビジョン受像機を電源オンモードとした時刻を学習し、このデータに基づいて、省電力モードと通常スタンバイモードとを１日における時刻によって自動的に切り替える技術が特許文献１に記載されている。これにより、利用者が不在の場合には自動的に省電力モードとし、利用者が在宅であり、かつ所望のテレビ番組を視聴する時刻には自動的に通常スタンバイモードとすることができた。すなわち、利用者の使用の態様によって最適化された電力モードが自動的に設定された。
【特許文献１】特開平０７−２１２６７８号公報
【発明の開示】
【発明が解決しようとする課題】
【０００５】
しかしながら、テレビジョン受像機の中でも、特にホテル等で使用されるものは、利用される態様が一般家庭と異なる場合が多い。例えば、同一の利用客が１週間以上連泊することは稀であり、大半の利用客は１泊だけでチェックアウトする。また、ホテル用のテレビジョン受像機は各客室に設置されるため、各客室の利用状況によって設定変更が行われても、これを一括管理できることが好ましい。しかしながら、前記の従来のテレビジョン受像機においては、省電力モードと通常スタンバイモードとの切替はテレビジョン受像機毎、すなわち各客室毎に行われる。従って、その一括管理を行うためには、この電力モードに関する情報をテレビジョン受像機側から発信する必要があり、これを実現するシステムは複雑となった。
【０００６】
本発明はこのような状況に鑑みてなされたものであり、上記問題点を解決できるテレビジョン受像機を提供することを目的とする。
【課題を解決するための手段】
【０００７】
本発明のテレビジョンシステムは、待機時の電力モードとして、立ち上がり時間の長い構成要素に電力を供給する通常スタンバイモードと、前記立ち上がり時間の長い構成要素に電力を供給しない省電力モードとが設定されるテレビジョン受像機を用いたテレビジョンシステムであって、サーバと、該サーバとネットワークを介して接続される前記テレビジョン受像機とからなり、前記テレビジョン受像機は、前記サーバに第１の設定時刻のデータが入力されているか否か、及び第２の設定時刻のデータが入力されているか否かを判定し、前記サーバに前記第１の設定時刻のデータが入力されていない場合あるいは前記第２の設定時刻のデータが入力されている場合には前記電力モードを省電力モードに設定する制御部を具備することを特徴とする。
本発明のテレビジョンシステムは、待機時の電力モードとして、立ち上がり時間の長い構成要素に電力を供給する通常スタンバイモードと、前記立ち上がり時間の長い構成要素に電力を供給しない省電力モードとが設定されるテレビジョン受像機を用いたテレビジョンシステムであって、サーバと、該サーバとネットワークを介して接続される前記テレビジョン受像機とからなり、前記テレビジョン受像機は、前記サーバから第１の設定時刻のデータ及び第２の設定時刻のデータを入手し、現在の時刻が前記第１の設定時刻以前あるいは前記第２の設定時刻以降であった場合には前記電力モードを省電力モードに設定する制御部を具備することを特徴とする。
本発明のテレビジョンシステムにおいて、前記テレビジョンシステムはホテルに設置され、前記テレビジョン受像機は前記ホテルにおける客室に設置されることを特徴とする。
本発明のテレビジョンシステムにおいて、前記第１の設定時刻は前記ホテルにおける利用客の実際のチェックイン時刻であり、前記第２の設定時刻は前記ホテルにおける利用客の実際のチェックアウト時刻であることを特徴とする。
本発明のテレビジョンシステムにおいて、前記第１の設定時刻は前記ホテルにおける規則上のチェックイン時刻であり、前記第２の設定時刻は前記ホテルにおける規則上のチェックアウト時刻であることを特徴とする。
本発明のテレビジョンシステムにおいて、前記制御部は、前記第１の設定時刻経過後、前記テレビジョン受像機が使用されずに一定時間経過した場合に前記電力モードを省電力モードに設定することを特徴とする。
本発明のテレビジョンシステムにおいて、前記制御部は、ターミナルボックスを介して前記サーバと接続されることを特徴とする。
本発明のテレビジョン受像機は、待機時の電力モードとして、立ち上がり時間の長い構成要素に電力を供給する通常スタンバイモードと、前記立ち上がり時間の長い構成要素に電力を供給しない省電力モードとが設定されるテレビジョン受像機であって、ネットワークを介して、外部のサーバに第１の設定時刻のデータが入力されているか否か、及び第２の設定時刻のデータが入力されているか否かを判定し、前記サーバに前記第１の設定時刻のデータが入力されていない場合あるいは前記第２の設定時刻のデータが入力されている場合には前記電力モードを省電力モードに設定する制御部を具備することを特徴とする。
本発明のテレビジョン受像機は、待機時の電力モードとして、立ち上がり時間の長い構成要素に電力を供給する通常スタンバイモードと、前記立ち上がり時間の長い構成要素に電力を供給しない省電力モードとが設定されるテレビジョン受像機であって、ネットワークを介して、外部のサーバから第１の設定時刻のデータ及び第２の設定時刻のデータを入手し、現在の時刻が前記第１の設定時刻以前あるいは前記第２の設定時刻以降であった場合には前記電力モードを省電力モードに設定する制御部を具備することを特徴とする。
本発明のテレビジョン受像機において、前記テレビジョン受像機はホテルにおける客室に設置されることを特徴とする。
本発明のテレビジョン受像機において、前記第１の設定時刻は前記ホテルにおける利用客の実際のチェックイン時刻であり、前記第２の設定時刻は前記ホテルにおける利用客の実際のチェックアウト時刻であることを特徴とする。
本発明のテレビジョン受像機において、前記第１の設定時刻は前記ホテルにおける規則上のチェックイン時刻であり、前記第２の設定時刻は前記ホテルにおける規則上のチェックアウト時刻であることを特徴とする。
本発明の電力モード設定方法は、待機時の電力モードとして、立ち上がり時間の長い構成要素に電力を供給する通常スタンバイモードと、前記立ち上がり時間の長い構成要素に電力を供給しない省電力モードとが設定されるテレビジョン受像機における前記電力モードの設定方法であって、ネットワークを介して、外部のサーバに第１の設定時刻のデータが入力されているか否か、及び第２の設定時刻のデータが入力されているか否かを判定し、前記サーバに前記第１の設定時刻のデータが入力されていない場合あるいは前記第２の設定時刻のデータが入力されている場合には前記電力モードを省電力モードに設定することを特徴とする。
本発明の電力モード設定方法は、待機時の電力モードとして、立ち上がり時間の長い構成要素に電力を供給する通常スタンバイモードと、前記立ち上がり時間の長い構成要素に電力を供給しない省電力モードとが設定されるテレビジョン受像機における前記電力モードの設定方法であって、ネットワークを介して、外部のサーバから第１の設定時刻のデータ及び第２の設定時刻のデータを入手し、現在の時刻が前記第１の設定時刻以前あるいは前記第２の設定時刻以降であった場合には前記電力モードを省電力モードに設定することを特徴とする。
【発明の効果】
【０００８】
本発明のテレビジョンシステム、テレビジョン受像機及びその電力モード設定方法によれば、待機時における電源モードの制御をその利用の態様に応じて最適化して低消費電力化することが可能であり、かつこれを一括して管理することが容易となる。
【発明を実施するための最良の形態】
【０００９】
図１は、本発明の第１の実施の形態に係るテレビジョンシステムの構成を示す図である。このテレビジョンシステム１は、ホテルで用いられる。このテレビジョンシステム１は、テレビジョン受像機１０、リモコン送信機２１、ターミナルボックス３０、サーバ４０、フロント端末５０を備える。ここで、テレビジョン受像機１０とリモコン送信機２１とターミナルボックス３０とは、ホテルの客室毎に備えられる。図１においては、客室１における構成例を示しているが、他の客室においても同様であり、各客室毎に設置された複数のテレビジョン受像機が各客室毎に設置されたターミナルボックスを介してサーバ４０に接続される。一方、サーバ４０には、フロント端末５０も接続される。
【００１０】
このテレビジョンシステム１において、サーバ４０には、ネットワークを介してフロント端末５０から、チェックイン時刻（第１の設定時刻）及びチェックアウト時刻（第２の設定時刻）が入力され、これらを内部のメモリ又は付属の外部記憶装置（図示せず）に記憶する。ここで、チェックイン時刻とは、各客室の利用客が実際にチェックインした時刻であり、チェックアウト時刻とは、実際にチェックアウトした時刻である。従って、チェックインまたはチェックアウトがなされていない場合にはこれらのデータはブランクとなる。また、サーバ４０は設定チェックイン時刻及び設定チェックアウト時刻を認識し、記憶する。ここで、設定チェックイン時刻とはこのホテルにおいて規則上定められたチェックイン時刻であり、設定チェックアウト時刻とは、規則上定められたチェックアウト時刻である。例えば、前者は午後３時、後者は午前１０時とされる。従って、通常はチェックイン時刻は設定チェックイン時刻以降であり、チェックアウト時刻は設定チェックアウト時刻以前となる。
【００１１】
ターミナルボックス３０は、ネットワークを介して以上の情報をサーバ４０から入手し、これをテレビジョン受像機１０が対応できる型式に変換した後にテレビジョン受像機１０に出力する。
【００１２】
また、このテレビジョン受像機１０においては、映像処理回路１１で得られた映像信号を液晶表示部１２で表示する。この際、バックライト用インバータ回路１３で生成された電力によってバックライト１４が点灯し、画像表示がなされる。一方、音声出力はスピーカ回路１５で電気信号として生成され、スピーカ１６で出力される。また、これら構成要素の全体を制御するマイコン（制御部）１７及びこれに付属したメモリ１８を備える。また、上記構成要素の各々には電源回路１９から電力が供給される。なお、厳密には以上の構成要素以外にも、例えば同調回路や各種の増幅回路等を備えるが、本願発明内容とは直接関係がないため、省略する。
【００１３】
このテレビジョン受像機１０の制御は、赤外信号受光部２０がリモコン送信機２１から制御信号を受信することによりなされる。赤外信号受光部２０は、この信号を受信して、マイコン１７にこれを出力し、マイコン１７はこれに応じた制御をプログラム処理により行う。この制御の中には、このテレビジョン受像機１０における電力モードの制御が含まれる。ここで、電力モードには電源オンモード、通常スタンバイモード、及び省電力モードの３種類がある。ただし、どの電力モードにおいても、リモコン送信機２１からの信号を受信するため、マイコン１７と赤外信号受光部２０には常に電力が供給されている。省電力モードと通常スタンバイモードとは待機時、すなわちこのテレビジョン受像機１０のオフ時の電力モードである。
【００１４】
まず、電源オンモードである場合には、このテレビジョン受像機１０を用いて利用者がテレビ番組を視聴することができる。この場合には、電源回路１９によって前記の全ての構成要素に電力が供給される。
【００１５】
次に、通常スタンバイモードである場合には、テレビ番組を視聴することができないが、電力供給はマイコン１７と赤外信号受光部２０以外にも、バックライトインバータ回路１３とスピーカ回路１５にも供給される。これらの回路は、電力が投入されてからの立ち上がり時間が長い。すなわち、通常スタンバイモードにおいては、立ち上がり時間の長い構成要素には電力供給を行う。一方、立ち上がり時間が短く、消費電力の大きな構成要素、例えばスピーカ１６、映像処理回路１１、液晶表示部１２等には電力を供給しない。なお、バックライトインバータ回路１３とスピーカ回路１５は例示であり、図１において省略された構成要素のうち、立ち上がり時間の長いものについても同様に電力供給を行うものとする。
【００１６】
次に、省電力モードである場合には、通常スタンバイモードと同様にテレビ番組を視聴することができないが、電力供給はマイコン１７と赤外信号受光部２０以外には供給されない。従って、３つの電力モードの中では最も消費電力が小さい。
【００１７】
このテレビジョン受像機１０の待機時には、通常スタンバイモードか省電力モードとなっている。この状態から、利用者がリモコン送信機２１を操作することにより、電源オンモードとすることができ、これによってテレビ番組を視聴することができる。
【００１８】
この際、通常スタンバイモードであった場合、立ち上がり時間の長いバックライトインバータ回路１３とスピーカ回路１５には予め電力が供給されているため、テレビ番組を視聴できるまでの待ち時間が短くなる。
【００１９】
一方、省電力モードであった場合、立ち上がり時間の長いバックライトインバータ回路１３とスピーカ回路１５には電力が供給されていないため、テレビ番組を視聴できるまでの待ち時間はバックライトインバータ回路１３とスピーカ回路１５の立ち上がり時間に律速される。すなわち、テレビ番組を視聴できるまでの待ち時間が長くなる。
【００２０】
通常スタンバイモードと省電力モードにおけるこのテレビジョン受像機１０の２０インチ程度の液晶テレビにおける消費電力は、電力が供給されている構成要素の数が多い分、前者の方が大きい。具体的には、前者における消費電力は３Ｗ程度であるのに対して、後者は０．０５W程度である。なお、電源オンモードにおける消費電力は７０Ｗ程度であるため、待機時におけるいずれの電力モードよりもその消費電力は大きい。
【００２１】
なお、上記の３種類の電力モードの特徴について図２に示す。この特徴より、このテレビジョン受像機１０の待機時（オフ時）の電源モードは、利用客が客室に在室時には通常スタンバイモードとし、不在時には省電力モードとすることが好ましい。
【００２２】
本実施の形態におけるテレビジョンシステムにおいては、テレビジョン受像機１０における待機時（オフ時）の設定を通常スタンバイモードと省電力モードのいずれにするかが客室外からの情報により自動的に制御される。なお、このテレビジョン受像機１０が電源オンモードとされている場合（利用客がテレビ番組を視聴している場合）にこの設定が行われても、その動作に影響は全く与えず、次回に電源がオフされた以降においてこの設定が有効となる。
【００２３】
このテレビジョン受像機１０は、外部からチェックイン時刻、チェックアウト時刻、設定チェックイン時刻、設定チェックアウト時刻のデータを入手する。この実施の形態においては、これらのデータはターミナルボックス３０を介してサーバ４０から入手する。この際、チェックインが済んでいない場合にはチェックイン時刻のデータは無く（ブランク）、チェックアウトが済んでいなければチェックアウト時刻のデータは無い（ブランク）。これらのデータを元にして、マイコン（制御部）１７は待機時の電力モードを通常スタンバイモードまたは省電力モードに設定する。
【００２４】
この設定方法を示すフロー図が図３である。以下、このフロー図につき説明する。なお、チェックイン時刻及びチェックアウト時刻は利用客によって異なり、その都度フロント端末５０から入力されるデータであるが、設定チェックイン時刻及び設定チェックアウト時刻はホテルによって予め決まっている。このため、設定チェックイン時刻及び設定チェックアウト時刻はサーバ４０から入手するのではなく、テレビジョン受像機１０がメモリ１７に予め記憶していてもよい。また、チェックイン時刻として、例えばカードキーが客室のドアに用いられた時刻をサーバ４０が読み出し、この時刻を用いてもよい。
【００２５】
まず、マイコン１７は、現在の時刻を内蔵のタイマから読み出す（Ｓ１）。
【００２６】
次に、マイコン１７は、現在の時刻が設定チェックイン時刻以前であるか否かを判定する（Ｓ２）。設定チェックイン時刻はサーバ４０からターミナルボックス３０を介してマイコン１７が入手することができ、予めメモリ１８が記憶していてもよい。また、この入手はこの判定を行う度に行う必要はなく、一度入手したデータをメモリ１８が記憶していればよい。現在の時刻がこの設定チェックイン時刻以前であれば、省電力モードに設定する（Ｓ１０）。
【００２７】
設定チェックイン時刻を経過している場合、当日の利用客がチェックインしたか否かを判定する（Ｓ３）。この判定は、フロント端末５０からサーバ４０にチェックイン時刻のデータが入力されたか否か、あるいはサーバ４０がこのデータを保持しているか否かを判定することによって行う。チェックインしていなければ、まだ利用客がいない状態であるため、省電力モードに設定する（Ｓ１０）。
【００２８】
チェックインしている場合、通常スタンバイモードに設定する（Ｓ４）。
【００２９】
次に、このチェックイン時刻のデータをサーバ４０からターミナルボックス３０を介して読み出し、これをメモリ１８が記憶する（Ｓ５）。次に、このテレビジョン受像機１０が電源オンモードとされたか否か、すなわちこのテレビジョン受像機が使用されたか否かを判定する（Ｓ６）。ここで、チェックイン時刻後にこのテレビジョン受像機１０が電源オンモードとされたか否かの情報は、メモリ１８に記憶されている。マイコン１７は、メモリ１８からこの情報を読み出し、この判定を行う。
【００３０】
次に、電源オンモードとされていない場合（Ｓ６）には、メモリ１８に記憶されたチェックイン時刻からの経過時間を算出し、この経過時間が所定の時間を超えているか否かを判定する（Ｓ７）。この所定の時間は、例えば１８時間と設定することができる。この時間を経過していた場合には、省電力モードに設定する（Ｓ１０）。この場合には、１泊の利用客が設定チェックアウト時刻までに電源オンするかどうかを確認していることになる。例えばこの時間を８時間、または１０時間に設定して、利用客はこのテレビジョン受像機１０を長時間使用していない状態では、その後も使用される可能性は少ないと判断して、省電力モードとするようにしてもよい。一方、所定時間を経過していなければ、再びＳ６の判定を行う。その間は省電力モードとはされないため、通常スタンバイモードに保たれる。
【００３１】
電源オンモードとされていた場合（Ｓ６）には、マイコン１７は、利用客がチェックアウトしたか否かを判定する（Ｓ８）。ここの判定は、フロント端末５０からサーバ４０にチェックアウト時刻の入力があったか否か、あるいはサーバ４０がこのデータを保持しているか否かを判定することによって行う。チェックアウトしていれば、既に利用客がいない状態であるため、省電力モードに設定する（Ｓ１０）。
【００３２】
チェックアウトしていなければ、現在の時刻が設定チェックアウト時刻以降であるか否かを判定する（Ｓ９）。設定チェックアウト時刻は設定チェックイン時刻と同様に、サーバ４０から入手することも、予めメモリ１８が記憶しておくこともできる。また、この入手についても同様であり、判定を行う度に行う必要はない。この設定チェックアウト時刻以降である場合には、仮に利用客がチェックアウトしていない状態であっても、規則で定められた時刻を経過しているため、省電力モードに設定する（Ｓ１０）。ただし、この時に利用客がテレビ番組を視聴している場合でも、前記と同様に、この設定がその動作に影響を与えることはない。
【００３３】
以上により、このテレビジョン受像機１０における待機時の電力モードは省電力モードと通常スタンバイモードのいずれかに設定される。
【００３４】
図４（ａ）（ｂ）は、上記の設定方法において用いられるサーバ４０の保持するデータを示す一例である。ここで、客室は３０１〜３０６の６室とし、規則上のチェックイン時刻（設定チェックイン時刻）は１５：００、規則上のチェックアウト時刻（設定チェックアウト時刻）は１０：００とする。図４（ａ）は１８：００におけるデータであり、（ｂ）は翌日の９：００におけるデータである。なお、チェックイン、チェックアウトの○×は時刻データの有無に対応しているため、この○×自身のデータをサーバ４０が記憶する必要はない。
【００３５】
この設定方法によれば、１８：００（ａ）においては、３０３と３０５がＳ３の判定により省電力モードとされる。他の客室は、Ｓ３の判定によって通常スタンバイモードとされ、チェックアウトしていない状態であり（Ｓ８）、設定チェックアウト時刻前である（Ｓ９）ため、所定時間を経過していなければ（Ｓ７）、そのまま通常スタンバイモードとなる。
【００３６】
翌日の９：００（ｂ）においては、３０１〜３０３、３０６は、Ｓ８の判定によって省電力モードとされる。３０４については、電源ＯＮとされず（Ｓ６）かつ所定の時間を経過している（Ｓ７）場合以外は通常スタンバイモードとされ、そうでない場合には省電力モードとされる。３０５については、１８：００〜９：００の間に利用客がいなかったことになるが、この場合にはＳ３の判定により、省電力モードとされる。この場合には、この時間内のどの時点でこの設定方法を適用しても常に省電力モードとされる。
【００３７】
なお、以上の設定方法を用いた設定は任意のタイミングで行うことができる。例えば、時刻の読み出し（Ｓ１）を前回の実行が終了してから所定の間隔、例えば１分ごとに行うことができ、これにより、その時点での待機時の電力モード設定を行うことができる。また、例えば上記の判定内容に関わる事項についての変更が生じた時点、例えば設定チェックイン時刻に達した時点、チェックインがあった時点等において行う設定とすることもできる。
【００３８】
ただし、設定チェックアウト時刻経過後でかつ設定チェックイン時刻経過前では、待機時の電力モードは常に省電力モードとなる。従って、上記の工程はこれらの時刻の間は行う必要はない。この場合、設定チェックイン時刻以降でかつ設定チェックアウト時刻以前において上記の設定方法を適用する際には工程Ｓ２、Ｓ９は省略できる。また、サーバ４０においては、設定チェックアウト時刻経過後にチェックイン時刻のデータ及びチェックアウト時刻のデータをブランクとしておく（リセットする）ことが好ましい。これにより、次回の設定チェックイン時刻以降におけるチェックイン及びチェックアウトの判定（Ｓ３、Ｓ８）をより誤り無く行うことができる。
【００３９】
このテレビジョン受像機１０の待機時の電源モードが通常スタンバイモードとされるのは、（１）設定チェックイン時刻後、（２）かつ利用客のチェックイン後、（３）かつ一度電源がオンされたか、オンされなくともチェックイン時刻から所定時刻経過しておらず、（４）かつチェックイン時刻から所定時間経過前、（５）かつ利用客のチェックアウト前、（６）かつ設定チェックアウト時刻以前の場合に限られる。
【００４０】
この（１）〜（６）の条件により、設定チェックイン時刻と設定チェックアウト時刻の間で、かつ利用客がこの客室に滞在しており、一度でもこのテレビジョン受像機１０を使用していれば、待機時は自動的に通常スタンバイモードに設定される。これにより、利用客がこの部屋に滞在中には、テレビジョン受像機１０を使用しない状態（待機時）から電源オンモードとする場合には、待ち時間を短くすることができる。
【００４１】
また、テレビジョン受像機１０がまだ使用されなくとも、チェックインから所定時刻が経過していなければ（Ｓ７）、通常スタンバイモードとなる。これにより、チェックインしていれば、入室後には利用客は短い待ち時間でテレビ番組を視聴することができる。
【００４２】
また、この設定方法は待機時の電力モードの設定に関してのみ行われるため、利用者がこの変更が行われる際にテレビ番組を視聴していても、テレビジョン受像機１０の動作がこれにより影響を受けることはない。その後にこのテレビジョン受像機が待機状態（オフ）とされ、その後に再び電源オンモードとされた場合には短い待ち時間でテレビ番組を視聴することができる。従って、利用客はこのテレビジョン受像機１０を用いたテレビ番組の視聴を快適に行うことができる。
【００４３】
一方、上記の（１）〜（６）の条件のいずれかが満たされない場合には、待機時は省電力モードとなる。この場合は、ホテルの規則上決められた時間外か、利用客がいない状態か、利用客がいてもこのテレビジョン受像機１０が使用されていない状態に対応する。こうした場合には、利用客にとっての利便性を考慮する必要はないため、省電力モードに設定することにより、その消費電力を抑制する。
【００４４】
この設定は全て図３のフロー図に従って各テレビジョン受像機において毎日自動的になされる。すなわち、ホテルの各客室においてそれぞれ最適化される。
【００４５】
この場合、サーバ４０によって管理され、テレビジョン受像機１０の外部から入力される量である設定チェックイン時刻（Ｓ２）、チェックイン時刻（Ｓ３）、チェックアウト時刻（Ｓ８）、設定チェックアウト時刻（Ｓ９）によってこのテレビジョン受像機１０における電力モードを管理することができる。また、チェックイン時刻からの経過時間（Ｓ７）についても同様である。一方、各客室におけるこのテレビジョン受像機１０の使用状況によって設定されるのは、利用客が滞在している場合において、電源オンとされたか否か（Ｓ６）という点だけである。
【００４６】
従って、待機時の電力モードは各客室の利用状況に応じて最適化され、このテレビジョン受像機１０は利用客にとっての利便性が高く、かつ低消費電力となる。
【００４７】
この電力モードに関する情報はサーバ側のもつ上記の時刻のデータのみにより判定できるため、テレビジョン受像機１０からサーバ４０側に出力する必要はない。従って、サーバ４０による各客室のテレビジョン受像機の一括管理が容易である。
【００４８】
利用客が滞在している場合には、電源オンとされたか否か（Ｓ６）によってその電力モードは異なる場合がある（Ｓ７）。しかしながら、利用客が滞在中にテレビジョン受像機１０を操作しない可能性は低いため、利用客が滞在している場合には、ホテルの管理上は常に通常スタンバイモードに設定されているとしても特に問題とはならない。
【００４９】
また、通常スタンバイモードから省電力モードとする場合には、利用客が退去した場合であると認識される。従って、このテレビジョン受像機の設定が利用客によって変更されていた場合には、この設定を初期状態にすることが好ましい。例えば、Ｖチップの設定やクローズドキャプションの設定については、電力モードの変更と同時にこれらを初期状態とすることが好ましい。また、音量制限等についても同様に、初期状態とすることが好ましい。
【００５０】
なお、図３のフロー図においては、設定チェックイン時刻及び設定チェックアウト時刻による判定（Ｓ２、Ｓ８）、チェックイン時刻及びチェックアウト時刻による判定（Ｓ３、Ｓ７）を共に行うことにより、待機時の電力モードの制御を行っていた。しかしながら、このうち一方だけ、例えばチェックイン時刻及びチェックアウト時刻による判定だけを行うことも可能である。この場合でも、実際にこのテレビジョン受像機１０が一度電源オンモードとされない限り（Ｓ５）、省電力モードは保たれる。
【００５１】
逆に、設定チェックイン時刻及び設定チェックアウト時刻による判定のみを用いることもできる。こうした場合には、マイコン１７は、サーバ４０にチェックイン時刻及びチェックアウト時刻のデータがあるか否かを判定するのではなく、サーバ４０から入手した設定チェックイン時刻（第１の設定時刻）と設定チェックアウト時刻（第２の設定時刻）と現在の時刻とを比較し、現在の時刻が設定チェックイン時刻前の場合、あるいは設定チェックアウト時刻以降であった場合には省電力モードに設定する。
【００５２】
また、電源オンモードとされたか否かの判定（Ｓ６）を行わない場合には、設定チェックイン時刻やチェックイン時刻による判定により通常スタンバイモードが設定される。しかしながら、設定チェックイン時刻による判定（Ｓ２）だけを用いた場合には、当日の利用客がいない場合でも待機時は通常スタンバイモードに設定されることになる。このため、この場合は電源オンモードとされたか否かの判定等（Ｓ６、Ｓ７）を用いることがより好ましい。この場合、所定時間が経過すれば（Ｓ７）、自動的に省電力モードとなる。
【００５３】
一方、チェックイン時刻による判定（Ｓ３）だけを用いた場合にはこうした問題は発生しないため、電源オンモードとされたか否かの判定等（Ｓ６、Ｓ７）を省略してもこうした問題は生じない。電源オンモードとされたか否かの判定（Ｓ５）を行わない場合には、待機時の電力モードはサーバ４０から得たデータのみから決定されるため、よりその管理が容易となる。
【００５４】
また、チェックイン時刻からの経過時間による判定（Ｓ７）についても同様に省略することが可能である。
【００５５】
なお、上記の実施の形態として、通常スタンバイ状態における電力供給される構成要素の例としてバックライトインバータ回路１３とスピーカ回路１５で説明したが、上述のようにこれに限定されるものではない。例えば、デジタル放送受信の場合には、デジタル放送信号の復調に数秒程度かかるため、復調回路への電力供給も立ち上がりを早くするためには効果的である。また、上記の実施の形態においてはホテルにおいて使用されるテレビジョンシステムとしたが、これに限られるものではなく、複数のテレビジョン受像機から構成されるテレビジョンシステムにおいても本願発明が適用できることは明らかである。例えば、ホテルではなく、病院や各種の教育施設等におけるテレビジョンシステムに対しても同様に適用できる。
【図面の簡単な説明】
【００５６】
【図１】本発明の実施の形態となるテレビジョンシステムの構成を示す図である。
【図２】本発明の実施の形態となるテレビジョン受像機における３種類の電力モードを比較した図である。
【図３】本発明の実施の形態となる電力モードの設定方法を示すフロー図である。
【図４】本発明の実施の形態においてサーバが保持するデータの一例を示す図である。
【符号の説明】
【００５７】
１  テレビジョンシステム
１０  テレビジョン受像機
１１  映像処理回路
１２  液晶表示部
１３  バックライト用インバータ回路
１４  バックライト
１５  スピーカ回路
１６  スピーカ
１７  マイコン（制御部）
１８  メモリ
１９  電源回路
２０  赤外信号受光部
２１  リモコン送信機
３０  ターミナルボックス
４０  サーバ
５０  フロント端末  
【図１】
2008236136.tif 000003
【図２】
2008236136.tif 000004
【図３】
2008236136.tif 000005
【図４】
2008236136.tif 000006